(57)【要約】【課題】より簡単な構成で被介護者のおむつ内の排尿を検知することを可能とする排尿検知装置を提供することである。【解決手段】被介護者が履く介護用おむつ２内に装着して被介護者から排出される尿を検知可能な排尿検知装置１０であって、所定の間隔をあけて並走し電気的に接続されないように絶縁シール部材で密封された２つの導電性テープと、一方端側に設けられ介護用おむつ２内に貼着可能な貼着部を有する帯部１２と、帯部１２の他方端側において２つの導電性テープ２８に接触可能な２つの端子１５と、２つの端子１５に電気的に接続される発光素子１７とを有する導通チェック部１３と、を備え、帯部１２は、他方端側を引っ張ることで第２領域１６と第１領域１４との間の距離を広げることが可能な距離調整部２６と、を有する。【選択図】図１
2020202960.tif 000002
【特許請求の範囲】
【請求項１】
被介護者が履く介護用おむつ内に装着して前記被介護者から排出される尿を検知可能な排尿検知装置であって、
所定の間隔をあけて並走し電気的に接続されないように絶縁シール部材で密封された２つの導電性テープと、一方端側に設けられ前記介護用おむつ内に貼着可能な貼着部を有する帯部と、
前記帯部の他方端側において前記２つの導電性テープに接触可能な２つの端子と、前記２つの端子に電気的に接続される発光素子とを有する導通チェック部と、
を備え、
前記帯部は、
前記介護用おむつ内に広がる前記尿によって前記２つの導電性テープが電気的に接続されることが可能なように前記絶縁シール部材が剥離された第１領域と、
前記第１領域よりも前記他方端側に設けられ前記尿によって前記２つの導電性テープが電気的に接続されることが可能なように前記絶縁シール部材が剥離された第２領域と、
前記他方端側を引っ張ることで前記第２領域と前記第１領域との間の距離を広げることが可能な距離調整部と、を有することを特徴とする排尿検知装置。
【請求項２】
請求項１に記載の排尿検知装置において、
前記帯部は、
前記第１領域と前記第２領域の間において前記２つの導電性テープ及び前記絶縁シール部材を切断可能なように切り取り加工された切取線部を有し、
前記距離調整部は、前記切取線部で切断される前に帯状部材が折り畳まれて収納される折畳部を有し、前記他方端側を引っ張ることにより前記切取線部で切断された後に前記折畳部が広げられて前記折畳部が伸びきった後に前記第１領域と前記第２領域の距離の広がりが規制されることを特徴とする排尿検知装置。
【請求項３】
請求項１または請求項２に記載の排尿検知装置において、
前記第１領域及び前記第２領域のうち、前記２つの導電性テープの露出部分が千鳥状となるように剥離されていることを特徴とする排尿検知装置。
【発明の詳細な説明】
【技術分野】
【０００１】
本発明は、排尿検知装置に関する。
【背景技術】
【０００２】
従来、介護施設などにおいて、高齢者などの被介護者が家族もしくは介護士などにより日常活動の支援がなされている。被介護者の排尿に備えて介護用おむつが普及している。そして、被介護者が排尿するたびに新しいものに取り換えることも可能であるが、少量の排尿しかない状況で逐一取り換えていると被介護者及び介護者の双方にとって負担となることがある。
【０００３】
本発明に関連する技術として、例えば、おむつ内にこのおむつに沿って配置されるストリップ形状の吸水性を有する帯状吸水シート及び帯状吸水シートの一方の端部のみに接して配置された水電池を含む尿漏れセンサと、尿漏れセンサの、水電池に対して帯状吸水シートとは反対側の位置に配置され、当該尿漏れセンサから起電圧が出力された際に当該起電圧で作動し尿漏れ発生を通知する無線信号を送信する送信手段と、送信手段からの無線信号を受信し尿漏れ発生信号を出力する受信手段と、受信手段からの尿漏れ発生信号が出力された際に尿漏れが生じた旨を報知する報知手段とを備えた尿漏れ検知システムが開示されている。
【先行技術文献】
【特許文献】
【０００４】
【特許文献１】特許第５９７２４８８号明細書
【発明の概要】
【発明が解決しようとする課題】
【０００５】
特許文献１のような尿漏れセンサを用いることで尿漏れを検知することも出来る。しかしながら、特許文献１の構成では、無線信号を送受信するための装置などが必要となり、大掛かりであるとともにコスト高となる。
【０００６】
本発明の目的は、より簡単な構成で被介護者のおむつ内の排尿を検知することを可能とする排尿検知装置を提供することである。
【課題を解決するための手段】
【０００７】
本発明に係る排尿検知装置は、被介護者が履く介護用おむつ内に装着して前記被介護者から排出される尿を検知可能な排尿検知装置であって、所定の間隔をあけて並走し電気的に接続されないように絶縁シール部材で密封された２つの導電性テープと、一方端側に設けられ前記介護用おむつ内に貼着可能な貼着部を有する帯部と、前記帯部の他方端側において前記２つの導電性テープに接触可能な２つの端子と、前記２つの端子に電気的に接続される発光素子とを有する導通チェック部と、を備え、前記帯部は、前記介護用おむつ内に広がる前記尿によって前記２つの導電性テープが電気的に接続されることが可能なように前記絶縁シール部材が剥離された第１領域と、前記第１領域よりも前記他方端側に設けられ前記尿によって前記２つの導電性テープが電気的に接続されることが可能なように前記絶縁シール部材が剥離された第２領域と、前記他方端側を引っ張ることで前記第２領域と前記第１領域との間の距離を広げることが可能な距離調整部と、を有することを特徴とする。
【０００８】
また、本発明に係る排尿検知装置において、前記帯部は、前記第１領域と前記第２領域の間において前記２つの導電性テープ及び前記絶縁シール部材を切断可能なように切り取り加工された切取線部を有し、前記距離調整部は、前記切取線部で切断される前に帯状部材が折り畳まれて収納される折畳部を有し、前記他方端側を引っ張ることにより前記切取線部で切断された後に前記折畳部が広げられて前記折畳部が伸びきった後に前記第１領域と前記第２領域の距離の広がりが規制されることが好ましい。
【０００９】
また、本発明に係る排尿検知装置において、前記第１領域及び前記第２領域のうち、前記２つの導電性テープの露出部分が千鳥状となるように剥離されていることが好ましい。
【発明の効果】
【００１０】
本発明によれば、簡単な構成で被介護者のおむつ内の排尿を検知することが出来る。
【図面の簡単な説明】
【００１１】
【図１】本発明に係る実施形態の排尿検知装置を示す図である。
【図２】本発明に係る実施形態の排尿検知装置と当該排尿検知装置を介護用おむつに装着した様子を示す図である。
【発明を実施するための形態】
【００１２】
以下に、本発明に係る実施の形態について添付図面を参照しながら詳細に説明する。以下では、全ての図面において同様の要素には同一の符号を付し、重複する説明を省略する。また、本文中の説明においては、必要に応じそれ以前に述べた符号を用いるものとする。
【００１３】
図１は、本発明に係る実施形態の排尿検知装置１０を示す図である。図１（ａ）は、排尿検知装置１０の平面図であり、図１（ｂ）は、排尿検知装置１０の距離調整部２６の側面図である。
【００１４】
図１（ｃ）は、排尿検知装置１０の切取線部１８が切り取られる前の平面図であり、図１（ｄ）は、排尿検知装置１０の切取線部１８が切り取られて、折畳部２２が広げられている様子を示す図である。
【００１５】
図２は、排尿検知装置１０と当該排尿検知装置１０を介護用おむつ２に装着した様子を示す図である。図２（ａ）は、排尿検知装置１０において、帯部１２が露出した状態を示す図であり、図２（ｂ）は、排尿検知装置１０において、帯部１２を筒部３２で覆った様子が描かれている。また、図２（ｃ）は、排尿検知装置１０を装着した様子を示す図である。
【００１６】
排尿検知装置１０は、被介護者が履く介護用おむつ２内に装着して被介護者から排出される尿を検知する装置である。排尿検知装置１０は、帯部１２と、導通チェック部１３とを備えている。
【００１７】
介護用おむつ２は、不織布などを含んで構成されており、パンツ型やテープ型などの種類が存在し、介護用おむつ２は、アウター部３（外側のおむつ）とインナー部４（内側の尿取りパッド）があり、体の状態や生活リズムを考えながら、それらを組み合わせて選んでいく。被介護者が介護用おむつ２内に排尿や排便をした後、適切なタイミングで新しい介護用おむつ２に交換することが好ましい。
【００１８】
帯部１２は、２つの導電性テープ２８と、絶縁シール部材２９と、貼着部２４と、チェック領域部２７と、第１領域１４と、第２領域１６と、距離調整部２６とを備えている。帯部１２には、貼着部２４からチェック領域部２７の際まで不織布でゆとりを持たせたサイズで筒状にくるんだ筒部３２が設けられている。また、被介護者の肌触りに不快感を生じないように配慮されている。
【００１９】
２つの導電性テープ２８は、所定の間隔をあけて並走している。２つの導電性テープ２８は、薄膜、かつ、導電性の高い材質、例えば、アルミ箔のテープで構成することが出来るが、もちろん、その他の材質で構成してもよい。
【００２０】
絶縁シール部材２９は、並走する２つの導電性テープ２８が電気的に接続されないようにラミネート加工される部材である。絶縁シール部材２９は、２つの導電性テープ２８を密封するのに適した材質、例えば、ポリプロピレンで構成することが出来るが、もちろん、その他の材質で構成してもよい。
【００２１】
貼着部２４は、２つの導電性テープ２８の一方端側に設けられて、介護用おむつ２内に貼着可能な水分に強い粘着構造を有している。貼着部２４は、２つの導電性テープ２８を覆う絶縁シール部材２９よりも幅が広く構成されており、中央部で切欠きが形成された略矩形形状を有している。貼着部２４は、チェック領域部２７を引っ張って切取線部１８を切断できるように、接着部から離れないような粘着性を有することが好ましい。また、排尿があった際に、おむつ又は尿取りパッドに尿が浸潤した状態を検知できるよう、検知面がおむつから浮かないようにする機能を備えている。
【００２２】
貼着部２４は、粘着面が施された粘着部と、当該粘着部を覆い剥離可能な剥離紙とを備えて構成されている。ここでは、貼着部２４は、接着力を高めるために介護おむつ内と接触する領域を広くするために絶縁シール部材２９よりも幅が広いものとして説明したが、ほぼ同一の幅に形成してもよい。
【００２３】
チェック領域部２７は、２つの導電性テープ２８の他方端側に設けられて、導通チェック部１３を接触可能な領域を有する。チェック領域部２７は、導通チェック部１３の外形に沿った領域を有し、導通チェック部１３を接触させる目印としての役割を果たす。ここでは、ＡＮＤゲートのような外形を有しているが、もちろん、様々な形状にすることが出来る。
【００２４】
第１領域１４は、介護用おむつ２内に広がる尿によって２つの導電性テープ２８が電気的に接続されることが可能なように絶縁シール部材２９が剥離された領域３０を有している。
【００２５】
第２領域１６は、第１領域１４よりも他方端側に設けられ尿によって２つの導電性テープが電気的に接続されることが可能なように絶縁シール部材２９が剥離された領域３０を有している。
【００２６】
ここで、第１領域１４及び第２領域１６は、図１に示されるように、矩形状の剥離領域が２つの導電性テープ２８に交互に形成される。すなわち、第１領域１４及び第２領域１６は、２つの導電性テープ２８の露出部分が千鳥状となるように剥離された領域３０を有している。
【００２７】
なお、千鳥状に剥離された領域３０を有する第１領域１４及び第２領域１６は帯状の絶縁シール部材２９の一方側の面にのみに形成されており、これらと同一の面上に貼着部２４の粘着面が形成されている。この剥離部分は介護用おむつ２側を向くように配置され、貼着部２４の粘着面を介護用おむつ２の内側面に貼り付ける。これにより、被介護者の皮膚部分には絶縁された面が向けられるため、より安全に使用することができる。
【００２８】
これにより、被介護者が介護用おむつ２内で排出した尿が隣接する剥離領域に跨って広がり、チェック領域部２７に導通チェック部１３を重ねて２つの導電性テープ２８に２つの端子１５を接触させた際に２つの導電性テープ２８が通電状態となる。なぜなら、電流が尿を介して導通可能な状態となるからである。
【００２９】
なお、帯部１２において、第１領域１４と第２領域１６の間において２つの導電性テープ２８及び絶縁シール部材２９を切断可能なように切り取り加工された切取線部１８が形成されている。
【００３０】
切取線部１８は、一般的に直線状に形成されるミシン目とは異なり、図１に示されるように、斜め方向に、複数の切り取り線が少しずつずらされた状態で形成される。図１の例では、３つの斜めの切り取り線が、帯部１２の幅方向に一部重なり合いながら、導電性テープ２８を完全に切断しないように切り込まれていて、帯部１２の延伸方向に少しずつずらされた状態で形成される。
【００３１】
距離調整部２６は、他方端側を引っ張ることで第２領域１６と第１領域１４との間の距離を広げる機能を有する。なお、筒部３２において、距離調整部２６に対応する位置には貼着部２４と同様の役割を担う四角形状の貼着部３４が設けられている。これにより、貼着部２４と貼着部３４の２箇所でしっかりと固定することが出来る。
【００３２】
距離調整部２６は、図１（ｂ）に示されるように、切取線部１８で切断される前の接続された状態において、帯状部材が折り畳まれて収納される折畳部２２を有している。折畳部２２は、固定部２１において、絶縁シール部材２９に接続されており、絶縁性を有する材質、例えば、絶縁シール部材２９と同様にポリプロピレンで構成することが出来る。なお、帯部１２がすっぽりと入る不織布のガーゼでくるまれている事により切取線部１８及び折畳部２２が破損しないように保護されている。
【００３３】
ここで、介護者などのユーザーが他方端側であるチェック領域部２７などを引っ張ることにより切取線部１８で切断された後に、図１（ｄ）に示されるように、折畳部２２が広げられて折畳部２２が伸びきった後に第１領域１４と第２領域１６の距離がそれ以上広がらないように規制されることになる。この時、帯部１２に被さっている筒状のガーゼを引っ張ってはいけない。
【００３４】
導通チェック部１３は、帯部１２の他方端側において２つの導電性テープ２８に接触可能な２つの端子１５と、２つの端子１５に電気的に接続される発光素子１７と、発光素子１７に電力を供給可能な電池１９とを有する。導通チェック部１３の外形は、ここではＡＮＤゲートのような形状を有するものとして説明するが、もちろん、その他の形状であってもよい。
【００３５】
なお、導通チェック部１３は、２つの端子１５は導通状態でないため、発光素子１７は消灯している状態である。ここで、被介護者の排尿により、第１領域１４及び第２領域１６が尿によって２つの導電性テープ２８が導通状態となったときに導通チェック部１３をチェック領域部２７と接触させて、２つの端子１５と２つの導電性テープ２８が接触状態となると発光素子１７が点灯する。
【００３６】
続いて、上記構成の排尿検知装置１０の作用について説明する。被介護者が介護用おむつ２を履いて日常生活を送ることがあるが、被介護者が排尿をしたときに必要に応じて介護者が新しい介護用おむつ２に取り換えることがある。
【００３７】
この取り換え作業は、乳幼児の紙おむつを取り換える場合とは異なり、介護者の労力が必要となるだけでなく、被介護者の身体的な負担もあるため、例えば、ごく少量の排尿などの場合には、すぐに取り換えずに、しばらくの間様子を見ておく方が、被介護者負担及び介護者の負担が少ないこともある。
【００３８】
排尿検知装置１０は距離調整部２６を介護用おむつ２の股間部、かつ、おむつ（アウター部３）または尿取りパッド（インナー部４）の吸収面の左右の幅の中心部より左側か右側のどちらかにずらして任意の位置に定めて帯部１２をまっすぐ伸ばし前方の貼着部２４と距離調整部２６(帯部１２が筒状の不織布でくるまれている図の四角形の貼着部３２) の２箇所で貼り付ける。そして、帯部１２が折れたりねじれたりしないようにウェスト後方側の開口部からチェック領域部２７が排出されるように引き回した状態で装備する。この状態で被介護者が生活する。この理由は、おむつの中心部に排尿検知装置１０を設置することで被介護者の股間部や臀裂部に帯部がくい込むことはないが、被介護者の違和感や特別な不快感または羞恥心に対して配慮したためである。
【００３９】
被介護者が排尿すると、最初に股間に近い第１領域１４に尿が広まり、２つの導電性テープ２８が導通状態となる。ここで、介護者が導通チェック部１３をチェック領域部２７に接触させた状態で発光素子１７が光るとおむつ内の排尿が起きたことが分かる。
【００４０】
切取線部１８が切り離される前は、第１領域１４と第２領域１６は接続されている状態であるため、第１領域１４のみに尿が広がっている場合であっても、導通チェック部１３で導通チェックを行った際に発光素子１７が光る。しかしながら、上述の通り、少量の排尿のみで逐一取り換えている場合には被介護者及び介護者の双方にとって負担となる。
【００４１】
そこで、被介護者がチェック領域部２７などの帯部１２の他方端側を引っ張り、切取線部１８で切り取ることで、折畳部２２が展開された状態となり、図１（ｄ）に示されるように、広がりが規制されるようになる。
【００４２】
切取線部１８で切り取って第１領域１４と第２領域１６とが分離された状態にしてから、導通チェック部１３をチェック領域部２７に接触させたときに発光素子１７が消灯している場合には、少量の尿しか排出されていないため、まだ様子を見る状態にすることができる。
【００４３】
また、第１領域１４と第２領域１６とが分離された状態で発光素子１７が点灯した場合には、尿の排出量が増えてきているため、介護用おむつの交換時期が近づいていることが分かる。このように、排尿検知装置１０によれば、第１領域１４と第２領域１６とを切り離して導通チェックを行うことで尿の排出量を検知することができ、排出量が適切な状態となってから介護用おむつを交換することができるため、介護者及び被介護者の双方にとって負担を軽減することができるという効果を奏する。
【符号の説明】
【００４４】
２  介護用おむつ、３  アウター部、４  インナー部、１０  排尿検知装置、１２  帯部、１３  導通チェック部、１４  第１領域、１５  端子、１６  第２領域、１７  発光素子、１８  切取線部、１９  電池、２２  折畳部、２４  貼着部、２６  距離調整部、２７  チェック領域部、２８  導電性テープ、２９  絶縁シール部材、３０  剥離された領域  ３２  筒部、３４  貼着部。
【図１】
2020202960.tif 000003
【図２】
2020202960.tif 000004
【手続補正書】
【提出日】令和1年8月14日(2019.8.14)
【手続補正１】
【補正対象書類名】特許請求の範囲
【補正対象項目名】全文
【補正方法】変更
【補正の内容】
【特許請求の範囲】
【請求項１】
被介護者が履く介護用おむつ内に装着して前記被介護者から排出される尿を検知可能な排尿検知装置であって、
所定の間隔をあけて並走し電気的に接続されないように絶縁シール部材で密封された２つの導電性テープと、一方端側に設けられ前記介護用おむつ内に貼着可能な貼着部を有する帯部と、
前記帯部の他方端側において前記２つの導電性テープに接触可能な２つの端子と、前記２つの端子に電気的に接続される発光素子とを有する導通チェック部と、
を備え、
前記帯部は、
前記介護用おむつ内に広がる前記尿によって前記２つの導電性テープが電気的に接続されることが可能なように前記絶縁シール部材が剥離された第１領域と、
前記第１領域よりも前記他方端側に設けられ前記尿によって前記２つの導電性テープが電気的に接続されることが可能なように前記絶縁シール部材が剥離された第２領域と、
前記他方端側を引っ張ることで前記第２領域と前記第１領域との間の距離を広げることが可能な距離調整部と、を有し、かつ、
前記帯部は、
前記第１領域と前記第２領域の間において前記２つの導電性テープ及び前記絶縁シール部材を切断可能なように切り取り加工された切取線部を有し、
前記距離調整部は、前記切取線部で切断される前に帯状部材が折り畳まれて収納される折畳部を有し、前記他方端側を引っ張ることにより前記切取線部で切断された後に前記折畳部が広げられて前記折畳部が伸びきった後に前記第１領域と前記第２領域の距離の広がりが規制されることを特徴とする排尿検知装置。
【請求項２】
請求項１に記載の排尿検知装置において、
前記第１領域及び前記第２領域のうち、前記２つの導電性テープの露出部分が千鳥状となるように剥離されていることを特徴とする排尿検知装置。
【手続補正２】
【補正対象書類名】明細書
【補正対象項目名】０００７
【補正方法】変更
【補正の内容】
【０００７】
本発明に係る塵捕獲器具は、被介護者が履く介護用おむつ内に装着して前記被介護者から排出される尿を検知可能な排尿検知装置であって、所定の間隔をあけて並走し電気的に接続されないように絶縁シール部材で密封された２つの導電性テープと、一方端側に設けられ前記介護用おむつ内に貼着可能な貼着部を有する帯部と、前記帯部の他方端側において前記２つの導電性テープに接触可能な２つの端子と、前記２つの端子に電気的に接続される発光素子とを有する導通チェック部と、を備え、前記帯部は、前記介護用おむつ内に広がる前記尿によって前記２つの導電性テープが電気的に接続されることが可能なように前記絶縁シール部材が剥離された第１領域と、前記第１領域よりも前記他方端側に設けられ前記尿によって前記２つの導電性テープが電気的に接続されることが可能なように前記絶縁シール部材が剥離された第２領域と、前記他方端側を引っ張ることで前記第２領域と前記第１領域との間の距離を広げることが可能な距離調整部と、を有し、かつ、前記帯部は、前記第１領域と前記第２領域の間において前記２つの導電性テープ及び前記絶縁シール部材を切断可能なように切り取り加工された切取線部を有し、前記距離調整部は、前記切取線部で切断される前に帯状部材が折り畳まれて収納される折畳部を有し、前記他方端側を引っ張ることにより前記切取線部で切断された後に前記折畳部が広げられて前記折畳部が伸びきった後に前記第１領域と前記第２領域の距離の広がりが規制されることを特徴とする。
【手続補正３】
【補正対象書類名】明細書
【補正対象項目名】０００８
【補正方法】削除
【補正の内容】
【手続補正書】
【提出日】令和1年8月14日(2019.8.14)
【手続補正１】
【補正対象書類名】特許請求の範囲
【補正対象項目名】全文
【補正方法】変更
【補正の内容】
【特許請求の範囲】
【請求項１】
被介護者が履く介護用おむつ内に装着して前記被介護者から排出される尿を検知可能な排尿検知装置であって、
所定の間隔をあけて並走し電気的に接続されないように絶縁シール部材で密封された２つの導電性テープと、一方端側に設けられ前記介護用おむつ内に貼着可能な貼着部を有する帯部と、
前記帯部の他方端側において前記２つの導電性テープに接触可能な２つの端子と、前記２つの端子に電気的に接続される発光素子とを有する導通チェック部と、
を備え、
前記帯部は、
前記介護用おむつ内に広がる前記尿によって前記２つの導電性テープが電気的に接続されることが可能なように前記絶縁シール部材が剥離された第１領域と、
前記第１領域よりも前記他方端側に設けられ前記尿によって前記２つの導電性テープが電気的に接続されることが可能なように前記絶縁シール部材が剥離された第２領域と、
前記他方端側を引っ張ることで前記第２領域と前記第１領域との間の距離を広げることが可能な距離調整部と、を有し、かつ、
前記帯部は、
前記第１領域と前記第２領域の間において前記２つの導電性テープ及び前記絶縁シール部材を切断可能なように切り取り加工された切取線部を有し、
前記距離調整部は、前記切取線部で切断される前に帯状部材が折り畳まれて収納される折畳部を有し、前記他方端側を引っ張ることにより前記切取線部で切断された後に前記折畳部が広げられて前記折畳部が伸びきった後に前記第１領域と前記第２領域の距離の広がりが規制されることを特徴とする排尿検知装置。
【請求項２】
請求項１に記載の排尿検知装置において、
前記第１領域及び前記第２領域のうち、前記２つの導電性テープの露出部分が千鳥状となるように剥離されていることを特徴とする排尿検知装置。
【手続補正２】
【補正対象書類名】明細書
【補正対象項目名】０００７
【補正方法】変更
【補正の内容】
【０００７】
本発明に係る排尿検知装置は、被介護者が履く介護用おむつ内に装着して前記被介護者から排出される尿を検知可能な排尿検知装置であって、所定の間隔をあけて並走し電気的に接続されないように絶縁シール部材で密封された２つの導電性テープと、一方端側に設けられ前記介護用おむつ内に貼着可能な貼着部を有する帯部と、前記帯部の他方端側において前記２つの導電性テープに接触可能な２つの端子と、前記２つの端子に電気的に接続される発光素子とを有する導通チェック部と、を備え、前記帯部は、前記介護用おむつ内に広がる前記尿によって前記２つの導電性テープが電気的に接続されることが可能なように前記絶縁シール部材が剥離された第１領域と、前記第１領域よりも前記他方端側に設けられ前記尿によって前記２つの導電性テープが電気的に接続されることが可能なように前記絶縁シール部材が剥離された第２領域と、前記他方端側を引っ張ることで前記第２領域と前記第１領域との間の距離を広げることが可能な距離調整部と、を有し、かつ、前記帯部は、前記第１領域と前記第２領域の間において前記２つの導電性テープ及び前記絶縁シール部材を切断可能なように切り取り加工された切取線部を有し、前記距離調整部は、前記切取線部で切断される前に帯状部材が折り畳まれて収納される折畳部を有し、前記他方端側を引っ張ることにより前記切取線部で切断された後に前記折畳部が広げられて前記折畳部が伸びきった後に前記第１領域と前記第２領域の距離の広がりが規制されることを特徴とする。
【手続補正３】
【補正対象書類名】明細書
【補正対象項目名】０００８
【補正方法】削除
【補正の内容】